(57)【要約】【課題】吸入口から吸入される空気の流量が多い場合にのみ薬粉を流出させることにより、薬粉の投薬効率を向上する。【解決手段】カプセル収容室８の下流側には、このカプセル収容室８よりも大きな容積をもった薬粉受室１６を設ける構成とする。従って、吸入口２１から空気を吸入したときに、空気流の流量が少なく勢いが弱い場合には、薬粉を薬粉受室１６内にためて吸入途中での落下を防止する。また、所定時間が経過し、空気流の流量が多くなった場合には、この空気流によりカプセルＫ内の薬粉、薬粉受室１６内にたまった薬粉を吸入口２１から流出させる。これにより、空気流量が多く投薬効率が良好なときにだけ、薬粉を吸入することができる。また、薬粉受室１６の下流側に薬粉拡散室１８を設けることにより、薬粉を微粒化して、投薬効率を向上することができる。【選択図】        図１
2004344505.tif 000002
【特許請求の範囲】
【請求項１】
粉体状の薬品を収容する薬粉収容室と、該薬粉収容室の下流側に該薬粉収容室よりも大きな容積をもって設けられた薬粉受室と、該薬粉受室の下流側に設けられ当該薬粉受室から流出した薬粉を拡散する薬粉拡散室と、該薬粉拡散室から拡散されて流出する薬粉を吸入する吸入口とにより構成してなる吸入式投薬器。
【請求項２】
前記薬粉受室は、前記吸入口から吸入する空気流量が２０リットル／分以下では前記薬粉収容室から流出した薬粉を一時的にためる機能を有し、前記吸入口から吸入する空気流量が３０リットル／分以上では前記薬粉収容室から流出した薬粉を拡散して微粒化する機能を有してなる請求項１に記載の吸入式投薬器。
【請求項３】
前記薬粉受室と薬粉拡散室とを連通する連通路は、前記薬粉拡散室の接線方向に偏心した位置で該薬粉拡散室に開口する構成としてなる請求項１または２に記載の吸入式投薬器。
【発明の詳細な説明】
【０００１】
【発明の属する技術分野】
本発明は、例えば、患者の息の吸込みによって粉体状の薬品（薬粉）を肺等に投与するのに用いて好適な吸入式投薬器に関する。
【０００２】
【従来の技術】
一般に、喘息患者等の肺等に薬品を投与する方法としては、専用の投薬器を用い、薬粉収容室に充填された粉体状の薬品（以下、薬粉という）を吸入する方法が知られている。
【０００３】
また、吸入式投薬器は、軸方向の一側が空気取入れ口となると共に他側が空気と一緒に薬粉を吸入する吸入口となり、途中に薬粉収容室が設けられた投薬器本体と、該投薬器本体の空気取入れ口から取入れた空気と一緒に薬粉収容室内の薬粉を吸入口側に供給する通気路とにより大略構成されている（例えば、特許文献１参照）。
【０００４】
【特許文献１】
特開平１１−２２１２８０号公報
【０００５】
そして、従来技術による吸入式投薬器により薬粉を吸入する場合には、薬粉収容室に薬粉を充填し、投薬器本体の他側を口にくわえる。この状態で吸入口から息を吸込むことにより、空気取入れ口から通気路に空気を取入れ、該通気路を流通する空気流によって薬粉収容室内の薬粉を吸入口内に放出し、該吸入口から肺内に吸入する。
【０００６】
【発明が解決しようとする課題】
ところで、吸入式投薬器を用いて薬粉を吸入する場合、患者は、息を大きく吸込むようにして吸入口から薬粉を吸入する。しかし、患者のなかには、息の吸込みを開始した直後は、吸引力の弱さから空気流量が少なくなる場合がある。その後、息の吸込みを継続することにより、徐々に流量が増大し空気流が安定する傾向にある。このような吸入パターンの場合、吸入開始直後には、流量が少なく勢いの弱い空気流が通気路に流通することになる。
【０００７】
このため、吸入開始直後には、薬粉収容室内の薬粉は勢いが弱い状態で吸入口側に流出するから、該吸入口、口腔内等に落下して付着してしまう。これにより、従来技術による吸入式投薬器は、薬粉収容室内に充填された規定量の薬粉を肺等に投与することができなくなるという問題がある。
【０００８】
本発明は、上述した従来技術の問題に鑑みなされたもので、本発明の目的は、空気流量が多い場合にのみ吸入口から薬粉を吸入できるようにし、薬粉収容室内の薬粉を効率よく投与することができるようにした吸入式投薬器を提供することにある。
【０００９】
【課題を解決するための手段】
上述した課題を解決するために請求項１の発明は、粉体状の薬品を収容する薬粉収容室と、該薬粉収容室の下流側に該薬粉収容室よりも大きな容積をもって設けられた薬粉受室と、該薬粉受室の下流側に設けられ当該薬粉受室から流出した薬粉を拡散する薬粉拡散室と、該薬粉拡散室から拡散されて流出する薬粉を吸入する吸入口とにより構成している。
【００１０】
このように構成したことにより、吸入口から空気を吸入すると、吸入開始直後には、流量が少なく勢いの弱い空気流が薬粉収容室に流入し、この勢いの弱い空気流と一緒に薬粉が流出する。このときに、勢いの弱い薬粉は薬粉収容室よりも大きな薬粉受室に流入したときに、該薬粉受室内に落下させることができる。従って、吸入口、口腔等に落下して付着してしまう薬粉は、薬粉受室内にためておくことができ、薬粉拡散室、吸入口側に流出するのを防止することができる。
【００１１】
そして、空気の吸入を開始して所定時間経過し、流量が多く勢いの強い空気流が吸入口から吸入されるようになると、この強い空気流により薬粉収容室から流出する薬粉、薬粉受室内にたまった薬粉を薬粉拡散室側に流出させることができる。この結果、空気流量が多く勢いが強いときにだけ薬粉を微粒化した状態で吸入口から吸入することができ、薬粉を例えば患者の肺の気管支まで効率よく投与することができる。
【００１２】
また、請求項２の発明は、薬粉受室は、吸入口から吸入する空気流量が２０リットル／分以下では薬粉収容室から流出した薬粉を一時的にためる機能を有し、吸入口から吸入する空気流量が３０リットル／分以上では薬粉収容室から流出した薬粉を拡散して微粒化する機能を有している。
【００１３】
これにより、薬粉受室は、吸入口から吸入する空気流量が２０リットル／分以下となる場合、例えば吸入を開始した直後、吸入途中で息継ぎをしたときには、薬粉をためて薬粉が吸入されないようにすることができる。一方、薬粉受室は、吸入口から吸入する空気流量が３０リットル／分以上になったときには、薬粉収容室から流出した薬粉を拡散して微粒化することができ、薬粉を効率よく投与することができる。
【００１４】
さらに、請求項３の発明は、薬粉受室と薬粉拡散室とを連通する連通路は、薬粉拡散室の接線方向に偏心した位置で該薬粉拡散室に開口する構成としている。これにより、連通路は、薬粉拡散室に流入する空気流を該薬粉拡散室の内面に沿って旋回流とすることができ、薬粉拡散室で薬粉をより一層微粒化することができる。
【００１５】
【発明の実施の形態】
以下、本発明の実施の形態に係る吸入式投薬器について、気管支喘息の患者に薬粉を投与する場合を例に挙げ、図１ないし図８に従って詳細に説明する。
【００１６】
図１において、１は吸入式投薬器の基部をなす投薬器本体で、該投薬器本体１は、後述するボディ２、カプセルホルダ５、カプセル収容室８等により大略構成されている。
【００１７】
２は投薬器本体１の一側に位置して該投薬器本体１の外形をなすボディで、該ボディ２は、略円筒状に形成された筒状体２Ａと、該筒状体２Ａの外周から図１中の上向きに突設され、後述する穴あけ具１４の支持部１４Ａを可動に支持する長円筒状の穴あけ具ガイド２Ｂとから構成されている。また、筒状体２Ａの一側には後述するキャップ７が螺着されるねじ部２Ｃが刻設され、他側には後述のアダプタ収容筒２０が螺着される他のねじ部２Ｄが刻設されている。さらに、筒状体２Ａの内周側には後述のホルダ収容部３が形成されている。
【００１８】
３はボディ２の筒状体２Ａ内周側に形成されたホルダ収容部で、該ホルダ収容部３は、後述するカプセルホルダ５のカプセル保持部６を出入れ可能に収容するものである。また、ホルダ収容部３は、図３に示す如く、筒状体２Ａの中央下側寄りに位置し、該筒状体２Ａの軸方向に伸長して一側に開口した四角形状の有底穴として形成されている。
【００１９】
４はホルダ収容部３内の上面側に形成されたカプセル嵌合溝で、該カプセル嵌合溝４は、後述するカプセル保持部６のカプセル嵌合凹部６Ｂと共にカプセル収容室８を形成している。また、カプセル嵌合溝４は、カプセルＫを上側から保持するもので、該カプセルＫの外径寸法に応じた断面半円弧状の溝として形成されている。
【００２０】
５はボディ２に対して着脱可能に設けられたカプセルホルダで、該カプセルホルダ５は、前述したボディ２等と共に投薬器本体１を構成している。また、カプセルホルダ５は、後述のカプセル保持部６とキャップ７とから大略構成されている。
【００２１】
６はカプセルホルダ５の本体をなし、ホルダ収容部３に出入れ可能に設けられたカプセル保持部を示している。具体的に、カプセル保持部６は、図４に示す如く、ホルダ収容部３内で軸方向に延びて形成された引出し部６Ａと、該引出し部６Ａの上面側に軸方向に長尺な断面半円弧状の凹溝として形成さたカプセル嵌合凹部６Ｂと、前記引出し部６Ａの一端部から軸方向に突出し、キャップ７の内筒部７Ａに回転可能かつ抜止め状態で係合する係合軸部６Ｃとにより大略構成されている。
【００２２】
また、７はカプセル保持部６の一端側に取付けられたキャップで、該キャップ７は、図２、図４に示す如く、中央部に位置してカプセル保持部６の係合軸部６Ｃが挿着される小径な内筒部７Ａと、外周側に位置して大径な外筒部７Ｂと、該外筒部７Ｂを内筒部７Ａに連結するために放射状に形成された複数本、例えば４本の脚部７Ｃと、該各脚部７Ｃ間にそれぞれ形成された空気取入れ口７Ｄと、前記外筒部７Ｂの内周に刻設され、ボディ２のねじ部２Ｃに螺着されるねじ部７Ｅとにより大略構成されている。ここで、空気取入れ口７Ｄは、通気路の一部を構成するもので、外部の空気を取入れ、この空気を流入側通路１１に向け供給するものである。
【００２３】
８はカプセル保持部６をホルダ収容部３内に押込んだときに、カプセル嵌合溝４とカプセル嵌合凹部６Ｂと間に形成される薬粉収容室としてのカプセル収容室（図１、図６、図７中に図示）で、該カプセル収容室８は、内部に粉体状の薬品（薬粉）が充填されたカプセルＫを収容して保持するものである。
【００２４】
このように形成されたカプセルホルダ５は、キャップ７を把持して例えば反時計回りに回転させることにより該キャップ７を緩める。このときに、キャップ７とカプセル保持部６とは回転可能に係合しているから、キャップ７だけを回転させることができる。そして、キャップ７を緩めたら、カプセル保持部６を引出すことにより、該カプセル保持部６を引出し位置に配置することができる。この引出し位置では、引出し部６Ａに形成されたカプセル嵌合凹部６Ｂに薬粉が充填されたカプセルＫを嵌合させたり、カプセル嵌合凹部６Ｂから使用済みのカプセルＫを取出したりすることができる。
【００２５】
また、カプセル嵌合凹部６ＢにカプセルＫを嵌合させた状態で、引出し部６Ａをホルダ収容部３内に押込み、キャップ７を時計回りに回転させて締め込むことにより、図６、図７に示す如く、カプセル保持部６を押込み位置に配置し、カプセルＫをカプセル収容室８で保持することができる。
【００２６】
次に、図１において、９はカプセル収容室８の一側寄りに位置して設けられた流入側のピン挿入穴で、該ピン挿入穴９は、カプセル収容室８を径方向に貫通するようにボディ２に形成されたボディ側挿入穴９Ａと、該ボディ側挿入穴９Ａに対応してカプセルホルダ５に形成されたホルダ側挿入穴９Ｂとにより構成されている。
【００２７】
また、１０はカプセル収容室８の他側寄りに位置して設けられた流出側のピン挿入穴で、該ピン挿入穴１０は、流入側のピン挿入穴９と平行にカプセル収容室８を貫通したボディ側挿入穴１０Ａとホルダ側挿入穴１０Ｂとにより構成されている。
【００２８】
１１はボディ２に設けられ、カプセル収容室８内のカプセルＫに空気を流入する２本の流入側通路で、該各流入側通路１１は、一端がキャップ７の空気取入れ口７Ｄを介して大気側に連通し、他端が流入側のピン挿入穴９に連通している。
【００２９】
１２はボディ２に設けられ、カプセル収容室８内のカプセルＫから薬粉を含んだ空気を後述の薬粉受室１６側に流出する２本の流出側通路で、該流出側通路１２は、一端が流出側のピン挿入穴１０に連通し、他端が薬粉受室１６に連通している。
【００３０】
そして、前述したピン挿入穴９と流入側通路１１とは、カプセル保持部６の空気取入れ口７Ｄから取入れた外気をカプセル収容室８（カプセルＫ）に供給する流入側の通気路を構成し、ピン挿入穴１０と流出側通路１２とは、カプセルＫに充填された薬粉を空気と一緒に吸入口２１側となる薬粉受室１６に流出する流出側の通気路を構成している。
【００３１】
１３は各通路１１，１２と９０度ずらした位置でボディ２の筒状体２Ａを軸方向に貫通するように穿設された２本の補助通気路（図２、図３中に図示）で、該各補助通気路１３は、息を吸込むときに流通する空気の流量を増やすことで、このときの息苦しさを解消している。
【００３２】
一方、１４はボディ２に設けられた穴あけ具で、該穴あけ具１４は、カプセル収容室８に収容されたカプセルＫに穴あけを施すものである。また、穴あけ具１４は、図１に示す如く、ボディ２の穴あけ具ガイド２Ｂ内に可動に支持された支持部１４Ａと、該支持部１４Ａからピン挿入穴９，１０に向けて延びたピン１４Ｂ，１４Ｂと、前記支持部１４Ａと筒状体２Ａとの間に設けられた戻しばね１４Ｃとにより大略構成されている。
【００３３】
そして、戻しばね１４Ｃは、各ピン１４ＢがカプセルＫから離間する方向に支持部１４Ａを付勢し、カプセルＫの穴あけ後に支持部１４Ａ、各ピン１４Ｂを初期位置まで戻すものである。また、各ピン１４Ｂの先端部は傾斜面によって鋭利な針先形状をなしている。
【００３４】
このように穴あけ具１４は、支持部１４Ａを戻しばね１４Ｃに抗して穴あけ具ガイド２Ｂ内に押込み、ピン１４Ｂ，１４Ｂをピン挿入穴９，１０に挿入することにより、図６、図７に示す如く、各ピン１４Ｂの先端をカプセル収容室８内のカプセルＫに突き刺し、該カプセルＫに径方向に貫通する４個の穴Ｈをあけるものである。
【００３５】
次に、１５はボディ２の他端部に嵌合して設けられた第１のアダプタで、該アダプタ１５は、軸方向に延びる筒状体として形成され、後述する第２のアダプタ１７と一緒にアダプタ収容筒２０によりボディ２側に固定されている。また、アダプタ１５は、一側に向けて開口し、他側が底部１５Ａとなる有底筒状に形成され、開口側の端面がボディ２の筒状体２Ａに衝合して配設されている。これにより、第１のアダプタ１５は、ボディ２との間に後述の薬粉受室１６を画成している。
【００３６】
１６はカプセル収容室８の下流側に位置して第１のアダプタ１５とボディ２との間に画成された薬粉受室で、該薬粉受室１６は、第１のアダプタ１５内に軸方向に延びる中空の空間として形成されている。そして、薬粉受室１６は、直径寸法Ｄ、長さ寸法Ｌをもって形成され、その容積はカプセル収容室８よりも大きく設定されている。
【００３７】
ここで、薬粉受室１６は、吸入口２１から息を吸込み、このときの空気流量が２０リットル／分以下のときにはカプセル収容室８のカプセルＫから流出した薬粉を一時的にためる機能を有している。一方、吸入口２１から吸入する空気流量が３０リットル／分以上のときにはカプセルＫから流出した薬粉を拡散し、微粒化して流出させる機能を有している。
【００３８】
さて、患者が吸入口２１から息を吸込んだときの空気流量は、このときの息の吸込状態により種々の吸込パターンをもって変化する。具体的には、ゆっくりと大きく息を吸込む吸込パターン、複数回に分けて息継ぎをしながら息を吸込む吸込パターン等がある。これらの吸込パターンのうち、例えば息継ぎをして息を吸込む吸込パターンでは、図８に示すように空気流量が変化する。
【００３９】
図８について具体的に説明すると、患者が吸入口２１から息を吸込むとき、息の吸込みを開始した直後では、空気流量が２０リットル／分以下となり、このときの空気流は弱いものとなる。その後、息の吸込みを継続すると、流量が徐々に増大し、空気流量が３０リットル／分を超えて空気流が安定する。
【００４０】
この空気流量の変化に基づいて、吸入口２１から吸入する空気流量が２０リットル／分以下となる場合、例えば吸入を開始した直後、吸入途中で息継ぎをしたときに、勢いの弱い空気流に混入した薬粉がアダプタ収容筒２０側に流出して吸入口２１、舌、口腔内面、咽喉等に落下して付着しないように、薬粉受室１６は、図６に示すように、このときの薬粉を一時的にためて吸入口２１側に流出するのを防止する。
【００４１】
一方、吸入口２１から吸入する空気流量が３０リットル／分以上になったときには、勢いの強い空気流に混入した薬粉は気管支等の患部まで到達させることができる。従って、薬粉受室１６は、図７に示すように、カプセルＫから流出した薬粉と一緒にためておいた薬粉を吸入口２１側に流出させる。しかも、薬粉受室１６は、内部で乱流を形成することにより、薬粉を拡散して微粒化することもできる。
【００４２】
１７は第１のアダプタ１５の他側に衝合して設けられた第２のアダプタで、該アダプタ１７は、第１のアダプタ１５と一緒にアダプタ収容筒２０によりボディ２側に固定されている。また、第２のアダプタ１７は、軸方向に延びる略円柱体として形成され、その軸中心には後述の薬粉拡散室１８が形成されている。
【００４３】
１８は薬粉受室１６の下流側に位置して第２のアダプタ１７に設けられた薬粉拡散室で、該薬粉拡散室１８は、第２のアダプタ１７の軸中心に位置して軸方向に延びる小径な円柱状の空間として形成されている。そして、薬粉拡散室１８は、後述の連通路１９から空気流に混入して薬粉が供給されると、この薬粉を旋回流（乱流）により拡散することにより、微粒化した薬粉を吸入口２１に供給するものである。
【００４４】
また、１９は第１のアダプタ１５と第２のアダプタ１７とに亘って設けられた複数本、例えば４本の連通路で、該各連通路１９は、薬粉受室１６と薬粉拡散室１８とを連通するものである。また、各連通路１９は、図１、図５に示す如く、第１のアダプタ１５の底部１５Ａに設けられ、薬粉受室１６の外周側に連通して軸方向に延びた軸方向通路１９Ａと、該軸方向通路１９Ａと薬粉拡散室１８とを連通するように放射状に延びた径方向通路１９Ｂとにより構成されている。
【００４５】
ここで、各連通路１９の径方向通路１９Ｂは、薬粉拡散室１８の接線方向に偏心した位置で該薬粉拡散室１８に開口している。これにより、連通路１９は、薬粉拡散室１８に流入する空気流を該薬粉拡散室１８の内面に沿って旋回流とすることができ、薬粉拡散室１８で薬粉をより一層微粒化する機能を有している。
【００４６】
次に、２０は筒状体２Ａの他側に取付けられたアダプタ収容筒で、該アダプタ収容筒２０は、一側が開口する有蓋円筒状に形成されている。また、アダプタ収容筒２０の一端部内面には、ボディ２のねじ部２Ｄに螺着するねじ部２０Ａが刻設されている。さらに、アダプタ収容筒２０の他側は、患者が口にくわえるマウスピース２０Ｂとなり、該マウスピース２０Ｂはくわえ易いように他側に向けて漸次縮径している。そして、アダプタ収容筒２０は、その内部に各アダプタ１５，１７を収容し、この状態でねじ部２０Ａをボディ２のねじ部２Ｄに螺着することにより、該各アダプタ１５，１７をボディ２側に固定することができる。
【００４７】
２１はアダプタ収容筒２０の他側に設けられた吸入口で、該吸入口２１は、前述した薬粉受室１６、薬粉拡散室１８とほぼ同じ軸線上となるマウスピース２０Ｂの中心部に配置されている。また、吸入口２１は、薬粉拡散室１８で拡散して微粒化された薬粉を流出（放出）するもので、該薬粉拡散室１８から他側に向け漸次拡開して形成されている。
【００４８】
本実施の形態による吸入式投薬器は上述の如き構成を有するもので、次に、患者が薬粉を吸入するときの動作について説明する。
【００４９】
まず、カプセルホルダ５をホルダ収容部３から引出し、カプセル保持部６のカプセル嵌合凹部６ＢにカプセルＫを嵌合させる。この状態で、カプセル保持部６をホルダ収容部３内に押込み、カプセル収容室８にカプセルＫをセットする。次に、穴あけ具１４の支持部１４Ａを穴あけ具ガイド２Ｂに沿って押込むことにより、各ピン１４ＢによりカプセルＫに４個の穴Ｈを形成する。
【００５０】
このようにカプセル収容室８内のカプセルＫに各穴Ｈをあけたら、患者はアダプタ収容筒２０のマウスピース２０Ｂを口にくわえて息を吸込む。このときに、吸入を開始した直後には、図８に示すように流量が２０リットル／分以下となる場合がある。この時、薬粉受室１６は、図６に示す如く、勢いの弱い空気流に混入した薬粉が吸入口２１、舌、口腔内面、咽喉等に落下して付着しないように、薬粉を一時的にためてアダプタ収容筒２０側に流出するのを防止する。
【００５１】
そして、息の吸込みを継続すると、空気流量が徐々に増大し、３０リットル／分を超えて空気流が安定する。このときには、勢いの強い空気流に混入した薬粉は患部まで到達させることができるから、薬粉受室１６は、図７に示す如く、カプセルＫから流出した薬粉と一緒にためておいた薬粉を連通路１９を介して薬粉拡散室１８、吸入口２１側に流出させる。しかも、空気流の勢いが強い場合には、薬粉受室１６は、内部で乱流を形成することができ、薬粉を拡散して微粒化することができる。
【００５２】
また、薬粉受室１６から連通路１９を通って薬粉拡散室１８に流入する薬粉は、連通路１９によって薬粉拡散室１８に形成される旋回流により、再度拡散され、さらに微粒化することができる。これにより、空気流量が多く勢いが強いときにだけ薬粉を微粒化した状態で吸入口２１から吸入することができ、薬粉を例えば患者の肺の気管支まで効率よく投与することができる。
【００５３】
かくして、本実施の形態によれば、アダプタ収容筒２０から空気の吸入を開始した直後のように、例えば空気流量が２０リットル／分以下で勢いが弱い場合には、薬粉が吸入途中で落下するのを避けるために、薬粉受室１６内に落下させてためることができる。また、吸入開始から所定時間が経過し、例えば空気流量が３０リットル／分を越えたときには、カプセルＫから流出する薬粉、薬粉受室１６内にたまった薬粉を吸入口２１から流出させることができる。
【００５４】
この結果、空気流量が多く勢いが強いときにだけ薬粉を吸入口２１から吸入することができるから、カプセルＫ内に充填された規定量の薬粉を例えば患者の気管支まで効率よく投与することができる。
【００５５】
また、薬粉受室１６の下流側には薬粉拡散室１８を設け、該薬粉拡散室１８では連通路１９によって旋回流を形成しているから、薬粉をより一層微粒化することができ、投薬効率を向上することができる。
【００５６】
なお、実施の形態では、ボディ２からカプセルホルダ５を出し入れしてカプセルＫを着脱する構成とした場合を例に挙げて説明した。しかし、本発明はこれに限らず、例えば、特開平１１−２２１２８０号公報のように、カプセル収容室に対しカプセルを直接的に出し入れする構成としてもよい。
【００５７】
また、実施の形態では、各連通路１９の径方向通路１９Ｂを薬粉拡散室１８の接線方向に偏心した位置で該薬粉拡散室１８に開口する構成とした場合を例に挙げて説明した。しかし、本発明はこれに限るものではなく、例えば各連通路の径方向通路を互いに対抗するように薬粉拡散室に開口させる構成としてもよい。この場合には、各連通路の径方向通路から流出する空気流を互いに衝突させて乱流を形成し、この乱流により薬粉を拡散することができる。
【００５８】
また、実施の形態では、カプセル収容室８内に薬粉が充填されたカプセルＫを収容する構成とした。しかし、本発明はこれに限らず、例えば、投薬器本体に薬粉収容室を設け、該薬粉収容室に薬粉を直接的に充填し、この薬粉を吸入する構成としてもよい。
【００５９】
さらに、実施の形態では、各アダプタ１５，１７をボディ２側に固定するアダプタ収容筒２０の他端側にマウスピース２０Ｂを一体的に設け、該マウスピース２０Ｂに吸入口２１を設ける構成とした場合を例に挙げて説明した。しかし、本発明はこれに限らず、例えばアダプタ収容筒２０と吸入口２１が設けられたマウスピース２０Ｂとを別体に設け、接着、溶着等の固着手段を用いて固着する構成としてもよい。
【図面の簡単な説明】
【図１】本発明の実施の形態に係る吸入式投薬器を示す縦断面図である。
【図２】図１に示す吸入式投薬器の右側面図である。
【図３】カプセルホルダを取外した投薬器本体の右側面図である。
【図４】カプセルホルダを拡大して示す拡大縦断面図である。
【図５】連通路等を図１中の矢示Ｖ−Ｖ方向から拡大して示す横断面図である。
【図６】２０リットル／分以下の空気流量をもって吸入口から空気を吸入している状態の吸入式投薬器を示す縦断面図である。
【図７】３０リットル／分以上の空気流量をもって吸入口から空気と薬粉を吸入している状態の吸入式投薬器を示す縦断面図である。
【図８】薬粉を吸入したときの空気流量の変化の一例を示す特性線図である。
【符号の説明】
２  ボディ
８  カプセル収容室（薬粉収容室）
１６  薬粉受室
１８  薬粉拡散室
１９  連通路
１９Ｂ  径方向通路
２１  吸入口
Ｋ  カプセル
【図１】
2004344505.tif 000003
【図２】
2004344505.tif 000004
【図３】
2004344505.tif 000005
【図４】
2004344505.tif 000006
【図５】
2004344505.tif 000007
【図６】
2004344505.tif 000008
【図７】
2004344505.tif 000009
【図８】
2004344505.tif 000010